(57)【要約】  無線通信デバイスは、回路部と、前記回路部に接続されており、非接触で送受信装置と信号の送受信を行うアンテナと、を備え、前記回路部の少なくとも一部と水分との接触の有無に応じて異なる信号を前記送受信装置に送信する。
2019049758.tif 000002
【特許請求の範囲】
【請求項１】
回路部と、前記回路部に接続されており、非接触で送受信装置と信号の送受信を行うアンテナと、を備えた無線通信デバイスであって、
前記回路部の少なくとも一部と水分との接触の有無に応じて異なる信号を前記送受信装置に送信する無線通信デバイス。
【請求項２】
前記回路部がカーボンナノチューブ、グラフェン、フラーレンおよび有機半導体からなる群の一つ以上の材料を用いて構成された素子であって水分との接触により特性が変化する素子を有する請求項１に記載の無線通信デバイス。
【請求項３】
前記素子の特性が変化した場合、前記送受信装置から受信した信号に対して返信する信号の少なくとも一つのパラメータが変化する請求項２に記載の無線通信デバイス。
【請求項４】
前記素子はダイオードを含み、
前記回路部は、前記ダイオードが水分と接触した場合に、前記ダイオードが水分と接触していない場合とは異なる信号を前記送受信装置に送信する請求項２または３に記載の無線通信デバイス。
【請求項５】
前記ダイオードは可変容量ダイオードであり、
前記回路部は、前記可変容量ダイオードが水分と接触した場合に、前記可変容量ダイオードが水分と接触していない場合とは強度が異なる信号を前記送受信装置に送信する請求項４に記載の無線通信デバイス。
【請求項６】
前記回路部は発振回路をさらに有し、
前記回路部は、前記ダイオードが水分と接触した場合に、前記ダイオードが水分と接触していない場合とは周波数が異なる信号を前記送受信装置に送信する請求項４または５に記載の無線通信デバイス。
【請求項７】
前記発振回路がリングオシレータを含む請求項６に記載の無線通信デバイス。
【請求項８】
前記素子はリングオシレータであり、
前記回路部は、前記リングオシレータが水分と接触した場合に、前記リングオシレータが水分と接触していない場合とは周波数が異なる信号を前記送受信装置に送信する請求項２または３に記載の無線通信デバイス。
【請求項９】
前記素子はメモリ素子であり、
前記回路部は、前記メモリ素子が水分と接触した場合に、前記メモリ素子が水分と接触していない場合とは異なる信号を前記送受信装置に送信する請求項２に記載の無線通信デバイス。
【請求項１０】
前記素子はカーボンナノチューブを用いて構成される請求項２〜９のいずれか一項に記載の無線通信デバイス。
【請求項１１】
前記素子の半導体層がカーボンナノチューブを用いて構成される請求項２〜１０のいずれか一項に記載の無線通信デバイス。
【請求項１２】
前記回路部が有する配線の少なくとも一部と水分との接触の有無に応じて異なる情報を含む信号を前記送受信装置に送信する請求項１に記載の無線通信デバイス。
【請求項１３】
前記回路部がデジタル回路を有し、前記デジタル回路の配線の少なくとも一部が水分と接触した場合に、前記デジタル回路の特性が変化し、前記配線の少なくとも一部が水分と接触していない場合とは異なる情報を含む信号を前記送受信装置に送信する請求項１２に記載の無線通信デバイス。
【請求項１４】
前記配線の少なくとも一部が水分と接触した場合に、前記配線の電気抵抗が変化する請求項１２または１３に記載の無線通信デバイス。
【請求項１５】
前記配線の少なくとも一部が、導電性粒子および水溶性樹脂を含む請求項１２〜１４のいずれか一項に記載の無線通信デバイス。
【請求項１６】
前記配線の少なくとも一部が、水溶性導電性高分子を含む請求項１２〜１５のいずれか一項に記載の無線通信デバイス。
【請求項１７】
前記配線の少なくとも一部が、導電性粒子および吸水性樹脂を含む請求項１２〜１４のいずれか一項に記載の無線通信デバイス。
【請求項１８】
前記配線の少なくとも一部が水溶性樹脂を含む層上に配置されており、前記層が水分と接触した場合に、前記配線の電気抵抗が変化する請求項１２〜１４のいずれか一項に記載の無線通信デバイス。
【請求項１９】
前記配線の少なくとも一部が吸水性樹脂を含む層上に配置されており、前記層が水分と接触した場合に、前記配線の電気抵抗が変化する請求項１２〜１４のいずれか一項に記載の無線通信デバイス。
【請求項２０】
前記回路部は、
前記配線と接続するとともに所定の情報を記録するメモリ素子と、
前記メモリ素子から情報を読み出して前記送受信装置へ送信する制御回路と、
を有し、
前記制御回路が前記メモリ素子から読み出す情報は、前記配線と水分との接触の有無に応じて異なる請求項１２〜１９のいずれか一項に記載の無線通信デバイス。
【請求項２１】
前記回路部は、
アレイ状に配列されている複数のメモリ素子と、前記複数のメモリ素子から情報を読み出して前記送受信装置へ送信する制御回路と、
を有し、
前記制御回路が前記複数のメモリ素子から読み出す情報は、前記配線と水分との接触の有無に応じて異なる請求項１２〜１９のいずれか一項に記載の無線通信デバイス。
【請求項２２】
水分を吸収して保持する吸水材と、防水機能を有し、前記吸水材を外装する防水材とを備え、人体に装着されて該人体により排出された水分を吸収可能なおむつであって、
請求項１〜２１のいずれか一項に記載の無線通信デバイスを備えたおむつ。
【請求項２３】
前記無線通信デバイスが前記吸水材と前記防水材との間に位置する請求項２２に記載のおむつ。
【請求項２４】
請求項１〜２１のいずれか一項に記載の無線通信デバイスと、
前記無線通信デバイスと非接触に通信可能であり、前記無線通信デバイスに送信した信号に対して返信される信号に基づいて前記無線通信デバイスの水分との接触の有無を検知する送受信装置と、
を備えた水分検知システム。
【請求項２５】
前記送受信装置は、ＵＨＦ帯またはマイクロ波帯の周波数を有する信号を送信する請求項２４に記載の水分検知システム。
【請求項２６】
前記無線通信デバイスは、
水分を吸収して保持する吸水材と、
防水機能を有し、前記吸水材を外装する防水材とを備え、
人体に装着されて該人体により排出された水分を吸収可能なおむつに設けられている請求項２４または２５に記載の水分検知システム。
【発明の詳細な説明】
【技術分野】
【０００１】
本発明は、無線通信デバイス、該無線通信デバイスを用いたおむつおよび水分検知システムに関する。
【背景技術】
【０００２】
従来、水分の存在を検知する技術として、ＲＦＩＤ（Radio  Frequency  Identification）を用いたシステムが知られている。特に、医療用途として、被介護者の排尿等に起因して発生する水分を検知するために、おむつにＩＣタグ等の無線通信デバイスを埋め込む技術が知られている。【０００３】
例えば、非特許文献１では、リーダが周波数９５０ＭＨｚ（ＵＨＦ帯）の電波信号をＩＣタグに送信し、その反射信号を用いて水分を検知する技術が開示されている。この技術では、アンテナが濡れて反射係数が変化することを利用して水分の発生を検知している。【０００４】
また、特許文献１では、濡れ検知端子を備えたＩＣタグをおむつに設けることにより、濡れ検知端子の電圧値の変動に応じて水分の有無を検知する技術が開示されている。この技術では、濡れ検知端子が濡れを検知した場合、ＩＣタグが乾いた状態とは異なる信号を発信する、または信号を発信しないため、ＩＣタグと通信するリーダは、受信する信号の種類または信号の有無に応じてＩＣタグの濡れ状態を検出する。
【先行技術文献】
【特許文献】
【０００５】
【特許文献１】特開２００６−３４９４１８号公報
【非特許文献】
【０００６】
【非特許文献１】中嶋宏昌、外3名、「ＲＦＩＤ技術を用いた排尿検知システムの開発」、電子情報通信学会論文誌  B  Vol.J96-B  No.12  pp.1378-1385、2013年12月1日
【発明の概要】
【発明が解決しようとする課題】
【０００７】
しかしながら、非特許文献１に記載された技術では、水分の発生に伴って電波が吸収されるとともにアンテナのインピーダンスが大きく変化し、ＩＣタグの受信感度が著しく低下してリーダとの通信ができなくなるため、リーダ側ではＩＣタグ内のＩＣチップが壊れた場合との判別ができない。【０００８】
また、特許文献１に記載された技術では、濡れ検知端子の検知結果に応じてＩＣチップの状態または機能を変化させるための複雑な構成が必要である。【０００９】
本発明は、上記に鑑みてなされたものであって、簡易な構成によって水分の発生を的確に検知することができる無線通信デバイス、おむつおよび水分検知システムを提供することを目的とする。
【課題を解決するための手段】
【００１０】
上述した課題を解決し、目的を達成するために、本発明に係る無線通信デバイスは、回路部と、前記回路部に接続されており、非接触で送受信装置と信号の送受信を行うアンテナと、を備えた無線通信デバイスであって、前記回路部の少なくとも一部と水分との接触の有無に応じて異なる信号を前記送受信装置に送信する。【００１１】
本発明に係る無線通信デバイスは、上記発明において、前記回路部がカーボンナノチューブ、グラフェン、フラーレンおよび有機半導体からなる群の一つ以上の材料を用いて構成された素子であって水分との接触により特性が変化する素子を有する。【００１２】
本発明に係る無線通信デバイスは、上記発明において、前記素子の特性が変化した場合、前記送受信装置から受信した信号に対して返信する信号の少なくとも一つのパラメータが変化する。【００１３】
本発明に係る無線通信デバイスは、上記発明において、前記素子はダイオードを含み、前記回路部は、前記ダイオードが水分と接触した場合に、前記ダイオードが水分と接触していない場合とは異なる信号を前記送受信装置に送信する。【００１４】
本発明に係る無線通信デバイスは、上記発明において、前記ダイオードは可変容量ダイオードであり、前記回路部は、前記可変容量ダイオードが水分と接触した場合に、前記可変容量ダイオードが水分と接触していない場合とは強度が異なる信号を前記送受信装置に送信する。【００１５】
本発明に係る無線通信デバイスは、上記発明において、前記回路部は発振回路をさらに有し、前記回路部は、前記ダイオードが水分と接触した場合に、前記ダイオードが水分と接触していない場合とは周波数が異なる信号を前記送受信装置に送信する。【００１６】
本発明に係る無線通信デバイスは、上記発明において、前記発振回路がリングオシレータを含む。【００１７】
本発明に係る無線通信デバイスは、上記発明において、前記素子はリングオシレータであり、前記回路部は、前記リングオシレータが水分と接触した場合に、前記リングオシレータが水分と接触していない場合とは周波数が異なる信号を前記送受信装置に送信する。【００１８】
本発明に係る無線通信デバイスは、上記発明において、前記素子はメモリ素子であり、前記回路部は、前記メモリ素子が水分と接触した場合に、前記メモリ素子が水分と接触していない場合とは異なる信号を前記送受信装置に送信する。【００１９】
本発明に係る無線通信デバイスは、上記発明において、前記素子はカーボンナノチューブを用いて構成される。【００２０】
本発明に係る無線通信デバイスは、上記発明において、前記素子の半導体層がカーボンナノチューブを用いて構成される。【００２１】
本発明に係る無線通信デバイスは、上記発明において、前記回路部が有する配線の少なくとも一部と水分との接触の有無に応じて異なる情報を含む信号を前記送受信装置に送信する。【００２２】
本発明に係る無線通信デバイスは、上記発明において、前記回路部がデジタル回路を有し、前記デジタル回路の配線の少なくとも一部が水分と接触した場合に、前記デジタル回路の特性が変化し、前記配線の少なくとも一部が水分と接触していない場合とは異なる情報を含む信号を前記送受信装置に送信する。【００２３】
本発明に係る無線通信デバイスは、上記発明において、前記配線の少なくとも一部が水分と接触した場合に、前記配線の電気抵抗が変化する。【００２４】
本発明に係る無線通信デバイスは、上記発明において、前記配線の少なくとも一部が、導電性粒子および水溶性樹脂を含む。【００２５】
本発明に係る無線通信デバイスは、上記発明において、前記配線の少なくとも一部が、水溶性導電性高分子を含む。【００２６】
本発明に係る無線通信デバイスは、上記発明において、前記配線の少なくとも一部が、導電性粒子および吸水性樹脂を含む。【００２７】
本発明に係る無線通信デバイスは、上記発明において、前記配線の少なくとも一部が水溶性樹脂を含む層上に配置されており、前記層が水分と接触した場合に、前記配線の電気抵抗が変化する。【００２８】
本発明に係る無線通信デバイスは、上記発明において、前記配線の少なくとも一部が吸水性樹脂を含む層上に配置されており、前記層が水分と接触した場合に、前記配線の電気抵抗が変化する。【００２９】
本発明に係る無線通信デバイスは、上記発明において、前記回路部は、前記配線と接続するとともに所定の情報を記録するメモリ素子と、前記メモリ素子から情報を読み出して前記送受信装置へ送信する制御回路と、を有し、前記制御回路が前記メモリ素子から読み出す情報は、前記配線と水分との接触の有無に応じて異なる。【００３０】
本発明に係る無線通信デバイスは、上記発明において、前記回路部は、アレイ状に配列されている複数のメモリ素子と、前記複数のメモリ素子から情報を読み出して前記送受信装置へ送信する制御回路と、を有し、前記制御回路が前記複数のメモリ素子から読み出す情報は、前記配線と水分との接触の有無に応じて異なる。【００３１】
本発明に係るおむつは、水分を吸収して保持する吸水材と、防水機能を有し、前記吸水材を外装する防水材とを備え、人体に装着されて該人体により排出された水分を吸収可能なおむつであって、上記発明に記載した無線通信デバイスを備えた。【００３２】
本発明に係るおむつは、上記発明において、前記無線通信デバイスが前記吸水材と前記防水材との間に位置する。【００３３】
本発明に係る水分検知システムは、上記発明に記載の無線通信デバイスと、前記無線通信デバイスと非接触に通信可能であり、前記無線通信デバイスに送信した信号に対して返信される信号に基づいて前記無線通信デバイスの水分との接触の有無を検知する送受信装置と、を備えた。【００３４】
本発明に係る水分検知システムは、上記発明において、前記送受信装置は、ＵＨＦ帯またはマイクロ波帯の周波数を有する信号を送信する。【００３５】
本発明に係る水分検知システムは、上記発明において、前記無線通信デバイスは、水分を吸収して保持する吸水材と、防水機能を有し、前記吸水材を外装する防水材とを備え、人体に装着されて該人体により排出された水分を吸収可能なおむつに設けられている。
【発明の効果】
【００３６】
本発明によれば、簡易な構成によって水分の発生を的確に検知することができる。
【図面の簡単な説明】
【００３７】
【図１】図１は、本発明の実施の形態１に係る水分検知システムの構成を示す図である。
【図２】図２は、本発明の実施の形態１に係る無線通信デバイスの回路構成を示す図である。
【図３】図３は、おむつの要部の構成を示す部分断面図である。
【図４】図４は、本発明の実施の形態２に係る無線通信デバイスの構成を示す図である。
【図５】図５は、本発明の実施の形態３に係る無線通信デバイスの構成を示す図である。
【図６】図６は、本発明の実施の形態３の変形例１に係る無線通信デバイスの構成を示す図である。
【図７】図７は、本発明の実施の形態３の変形例２に係る無線通信デバイスの構成を示す図である。
【図８】図８は、本発明の実施の形態４に係る無線通信デバイスの構成を示す図である。
【図９】図９は、本発明の実施の形態４に係る無線通信デバイスが備えるメモリの要部の構成を模式的に示す図である。
【図１０】図１０は、メモリ素子の積層構造を模式的に示す図である。
【図１１】図１１は、本発明の実施の形態４の変形例に係る無線通信デバイスが備えるメモリの要部の構成を示す図である。
【図１２】図１２は、本発明の実施の形態５に係る無線通信デバイスが備えるメモリの要部の構成を模式的に示す図である。
【発明を実施するための形態】
【００３８】
以下、添付図面を参照して、本発明を実施するための形態（以下、「実施の形態」という）を説明する。
【００３９】
（実施の形態１）
図１は、本発明の実施の形態１に係る水分検知システムの構成を示す図である。同図に示す水分検知システム１は、所定の周波数帯域の信号を無線で送受信する送受信装置２と、送受信装置２と非接触の通信（無線通信）が可能な無線通信デバイス３が設けられており、人体に装着されて排尿時の水分を吸収可能なおむつ４とを備える。水分検知システム１は、おむつ４を履いた人の排尿等に起因する水分の発生を検知するシステムであり、おむつ４を用いた濡れ検知システムということもできる。
【００４０】
送受信装置２は、所定の周波数帯域の信号を送受信するアンテナ、動作を制御するＣＰＵ（Central  Processing  Unit）および各種情報を記憶するメモリを有する。送受信装置２は、無線通信デバイス３に対して所定の周波数帯域の信号（搬送波）を送信し、その信号に対する返信信号を受信する。この返信信号には、無線通信デバイス３に固有の情報が含まれる。送受信装置２は、無線通信デバイス３から受信する信号に基づいて無線通信デバイス３を識別するとともに、その無線通信デバイス３が水分と接触した状態にあるか否かを検知する。送受信装置２が送信する信号は、例えばＵＨＦ帯（８６０〜９６０ＭＨｚ）またはマイクロ波帯（２．４５ＧＨｚ）の周波数を有する電波である。このような送受信装置２は、例えばリーダライタのような専用の端末として構成してもよいし、スマートフォン等の携帯端末を用いて構成してもよい。
【００４１】
図２は、無線通信デバイス３の回路構成を示す図である。無線通信デバイス３は、回路部３１と、回路部３１に接続されるアンテナ３２とを備える。無線通信デバイス３は、送受信装置２によって送信された信号（搬送波）を受信し、この信号をエネルギー源として、無線通信デバイス３に固有の情報を加えた信号（反射波）を返信する。
【００４２】
回路部３１は、ダイオード３３を有する。ダイオード３３は、カーボンナノチューブ、グラフェン、フラーレンおよび有機半導体からなる群の一つ以上の材料を用いて構成された素子である。
【００４３】
ダイオード３３を構成する有機半導体としては、例えば、ポリチオフェン類、ポリピロール類、ポリ（ｐ−フェニレンビニレン）などのポリ（ｐ−フェニレンビニレン）類、ポリアニリン類、ポリアセチレン類、ポリジアセチレン類、ポリカルバゾール類、ポリフラン類、ポリヘテロアリール類、縮合多環系の低分子化合物半導体、複素芳香環を有する低分子化合物半導体が挙げられる。ポリチオフェン類としては、ポリ−３−ヘキシルチオフェン、ポリベンゾチオフェンなどが挙げられる。ポリフラン類としては、ポリフラン、ポリベンゾフランなどが挙げられる。ポリヘテロアリール類としては、ピリジン、キノリン、フェナントロリン、オキサゾール、オキサジアゾールなどの含窒素芳香環を構成単位とするものが挙げられる。縮合多環系の低分子化合物半導体としては、アントラセン、ピレン、ナフタセン、ペンタセン、ヘキサセン、ルブレンなどが挙げられる。複素芳香環を有する低分子化合物半導体としては、フラン、チオフェン、ベンゾチオフェン、ジベンゾフラン、ピリジン、キノリン、フェナントロリン、オキサゾール、オキサジアゾールなどが挙げられる。これらの材料は、塗布法によりフィルム上への形成が可能であるため、通常用いられるシリコン等の材料と比較して製造が容易であるとともに、コストを低く抑えることができて経済的である。
【００４４】
また、２００℃以下の低温で形成できることおよび半導体特性が高いことなどの観点から、ダイオード３３は、カーボンナノチューブを含むことがより好ましい。カーボンナノチューブの中でも、その表面の少なくとも一部に共役系重合体が付着したカーボンナノチューブ複合体が特に好ましい。何故ならば、カーボンナノチューブの保有する高い電気特性を損なうことなく、カーボンナノチューブを、溶液中で均一に分散することが可能になるからである。カーボンナノチューブが均一に分散した溶液を用いることで、インクジェット法等の塗布法により、カーボンナノチューブが均一に分散した膜を形成することができる。
【００４５】
ダイオード３３は、例えば絶縁性基材の表面上に設けられた一対の電極と、一対の電極の間に形成された半導体層とを有する。半導体層は、例えばカーボンナノチューブを含有する。なお、ダイオード３３の構成はこれに限定されるものではなく、その他の構成は、例えば国際公開第２０１６／１５８８６２号に開示されている。
【００４６】
アンテナ３２は、回路部３１に接続されており、送受信装置２との間で信号の送受信を行う。アンテナ３２は、ダイポールアンテナであり、ダイオード３３とのインピーダンス整合が取られている。なお、アンテナ３２はループアンテナ等でもよい。
【００４７】
図３は、おむつ４の要部の構成を模式的に示す部分断面図である。おむつ４は、不織布等を用いて構成され、人の肌が直接接触する表面材４１と、高吸水性高分子等を用いて構成され、表面材４１を通過した水分を吸収して保持する吸水材４２と、防水性を有するシート状の材料からなり、吸水材４２の表面のうちおむつ４の外表面側の外装体をなす防水材４３とを有する。吸水材４２と防水材４３との間には、無線通信デバイス３が設けられている。無線通信デバイス３の設置位置は、排尿によって吸水材４２が水分を吸収しやすい位置、換言すれば、人がおむつ４を装着して排尿したときに尿があたる可能性が高い領域内の位置であるのが好ましい。
【００４８】
以上の構成を有するおむつ４を装着した人が排尿等によって水分を体外に放出すると、吸水材４２がその水分を吸収する。吸水材４２によって吸収された水分がダイオード３３に到達すると、ダイオード３３が水分と接触して濡れた状態となることにより、その整流特性が変化する。ダイオード３３の整流特性が変化すると、ダイオード３３が乾いた状態にある場合と比較して、無線通信デバイス３が送受信装置２に返信する信号のパラメータの一つである信号の強度が変化する。送受信装置２は、無線通信デバイス３から受信した信号の強度に基づいて、ダイオード３３が水分と接触しているか否か、すなわちおむつ４が濡れた状態にあるか否かを検知する。
【００４９】
以上説明した本発明の実施の形態１によれば、カーボンナノチューブ、グラフェン、フラーレンおよび有機半導体からなる群の一つ以上の材料を用いて構成されるダイオード３３を用いて回路部３１を構成し、ダイオード３３が水分に接触すると、その半導体特性または絶縁層の静電容量が変化することによって水分に接触していない場合と強度が異なる信号を出力するため、簡易な構成によって水分の発生を的確に検知することができる。
【００５０】
また、本実施の形態１によれば、回路部３１にフィルム形成が可能な材料を適用しているため、通常半導体の材料として用いられるシリコン等の材料と比較して製造が容易であるとともに、コストを低く抑えることができて経済的である。この意味で、本実施の形態１の無線通信デバイス３は、おむつ４のような量産品に好適である。
【００５１】
（実施の形態２）
図４は、本発明の実施の形態２に係る水分検知システムが備える無線通信デバイスの構成を示す図である。同図に示す無線通信デバイス３Ａは、実施の形態１と同様におむつ４に設けられており、回路部３１Ａと、アンテナ３２とを備える。回路部３１Ａは、印加電圧に応じて静電容量が変化する可変容量ダイオード３４を有する。回路部３１Ａを除く水分検知システムの構成は、実施の形態１と同様である。
【００５２】
可変容量ダイオード３４は、カーボンナノチューブ、グラフェン、フラーレンおよび有機半導体からなる群の一つ以上の材料を用いて構成された素子である。上述した材料を用いて構成される可変容量ダイオード３４は、水分との接触によりその特性が変化する。ここでいう可変容量ダイオード３４の特性とは、半導体特性または絶縁層の静電容量である。可変容量ダイオード３４の特性が変化した結果、送受信装置２に返信する信号のパラメータの一つである強度が、乾いた状態で返信する信号の強度と異なる。
【００５３】
以上説明した本発明の実施の形態２によれば、実施の形態１と同様、簡易な構成によって水分の発生を的確に検知することができる。また、本実施の形態２によれば、実施の形態１と同様、製造も容易で経済的である。
【００５４】
（実施の形態３）
図５は、本発明の実施の形態３に係る水分検知システムが備える無線通信デバイスの構成を示す図である。同図に示す無線通信デバイス３Ｂは、実施の形態１と同様におむつ４に設けられており、回路部３１Ｂと、アンテナ３２とを備える。回路部３１Ｂは、ダイオード３３と、電圧制御発振器（ＶＣＯ：Voltage  Controlled  Oscillator）３５とを有する。回路部３１Ｂを除く水分検知システムの構成は、実施の形態１と同様である。
【００５５】
電圧制御発振器３５は、電圧によって発振周波数を制御する発振器である。電圧制御発振器３５は、例えばコイルやキャパシタを用いて構成される発振回路である。なお、回路部３１Ｂは、さらにトランジスタなどのスイッチング素子を有しても良い。この場合、スイッチング素子は、電圧制御発振器３５により制御される発振周波数の信号に応じてオン、オフされる。このスイッチング素子のオン、オフに応じて、無線通信デバイス３Ｂから送受信装置２に信号を返信するか否かが決まる。また、電圧制御発振器３５はリングオシレータを用いて構成されても良い。リングオシレータを用いることにより、コイルやキャパシタを用いて構成するよりもシンプルな発振回路を構成することができる。なお、リングオシレータは、シリコン等の材料を用いて構成されており、水分との接触に起因した特性の変化は生じない。
【００５６】
以上の構成を有する無線通信デバイス３Ｂにおいて、ダイオード３３が水分と接触して濡れた状態になってその整流特性が変化すると、電圧制御発振器３５の発振特性が変化する。この結果、回路部３１Ｂを通過する信号のパラメータの一つである周波数が変化する。したがって、ダイオード３３が濡れた状態にある無線通信デバイス３Ｂが送受信装置２に対して返信する信号の周波数は、ダイオード３３が水分と接触せず乾いた状態にある無線通信デバイス３Ｂが返信する信号の周波数と異なる。送受信装置２は、無線通信デバイス３Ｂから受信した信号の周波数に基づいて水分の有無を検知する。
【００５７】
以上説明した本発明の実施の形態３によれば、実施の形態１と同様、簡易な構成によって水分の発生を的確に検知することができる。また、本実施の形態３によれば、実施の形態１と同様、製造も容易で経済的である。
【００５８】
また、本実施の形態３によれば、送受信装置２が受信する信号の周波数の変化に基づいて水分を検知するため、距離の変化に敏感なパラメータである強度の変化を検出する実施の形態１と比較して、適切な通信を行うための送受信装置２と無線通信デバイス３Ｂとの位置関係の自由度が高い。
【００５９】
（実施の形態３の変形例１）
図６は、本発明の実施の形態３の変形例１に係る無線通信デバイスの構成を示す図である。同図に示す無線通信デバイス３Ｃは、回路部３１Ｃと、アンテナ３２とを備える。回路部３１Ｃは、ダイオード３３と、カソード側がダイオード３３に並列接続される一方、アノード側がグラウンドに接続された可変容量ダイオード３６とを有する。
【００６０】
可変容量ダイオード３６は、電圧制御発振器の機能を有する。可変容量ダイオード３６は、カーボンナノチューブ、グラフェン、フラーレンおよび有機半導体からなる群の一つ以上の材料を用いて構成された素子であり、水分との接触により半導体特性または絶縁層の静電容量が変化する。
【００６１】
このような構成を有する無線通信デバイス３Ｃにおいて、ダイオード３３が濡れた状態にある場合に送受信装置２に対して返信する信号の周波数は、ダイオード３３が乾いた状態にある場合に送受信装置２に対して返信する信号の周波数と異なる。また、可変容量ダイオード３６が濡れた状態にある場合に送受信装置２に対して返信する信号の強度は、可変容量ダイオード３６が乾いた状態にある場合に送受信装置２に対して返信する信号の強度と異なる。送受信装置２は、無線通信デバイス３Ｃから受信した信号の周波数および／または強度に基づいて水分の有無を検知する。
【００６２】
以上説明した実施の形態３の変形例１によれば、実施の形態３と同様の効果を得ることができる。
【００６３】
（実施の形態３の変形例２）
図７は、本発明の実施の形態３の変形例２に係る無線通信デバイスの構成を示す図である。同図に示す無線通信デバイス３Ｄは、回路部３１Ｄと、アンテナ３２とを備える。回路部３１Ｄは、ダイオード３７と、ダイオード３７に直列接続されたリングオシレータ（ＲＯ）３８とを有する。本変形例２において、ダイオード３７は、シリコン等の材料を用いて構成されており、水分との接触に起因した特性の変化は生じない。
【００６４】
リングオシレータ３８は、電圧制御発振器の機能を有する。リングオシレータ３８は、カーボンナノチューブ、グラフェン、フラーレンおよび有機半導体からなる群の一つ以上の材料を用いて構成されたトランジスタを有する。このようなトランジスタを用いて構成されるリングオシレータ３８は、水分との接触により発振特性が変化する。リングオシレータ３８の発振特性が変化すると、回路部３１Ｄを通過する信号の周波数が変化する。なお、回路部３１Ｄは、さらにトランジスタなどのスイッチング素子を有しても良い。スイッチング素子は、リングオシレータ３８により制御される発振周波数の信号に応じてオン、オフされる。このスイッチング素子のオン、オフに応じて、無線通信デバイス３Ｄから送受信装置２に信号を返信するか否かが決まる。なお、リングオシレータ３８の構成によっては、発振特性が変化することによって回路部３１Ｄを通過する信号の強度が変化する場合もある。リングオシレータ３８は、例えば複数の薄膜トランジスタを組み合わせてなる。薄膜トランジスタの半導体層は、例えばカーボンナノチューブを含有している。
【００６５】
このような構成を有する無線通信デバイス３Ｄにおいて、リングオシレータ３８が濡れた状態にある場合に送受信装置２に対して返信する信号の周波数は、リングオシレータ３８が乾いた状態にある場合に送受信装置２に対して返信する信号の周波数と異なる。送受信装置２は、無線通信デバイス３Ｄから受信した信号の周波数に基づいて水分の有無を検知する。
【００６６】
以上説明した実施の形態３の変形例２によれば、実施の形態３と同様の効果を得ることができる。
【００６７】
なお、本変形例２において、ダイオード３７の代わりに、実施の形態１で適用したダイオード３３を適用してもよい。この場合、送受信装置２は、無線通信デバイスによって返信される信号の強度をさらに用いて水分の有無を検知してもよい。
【００６８】
また、本変形例２において、ダイオード３７の代わりに、実施の形態１で適用したダイオード３３を適用し、ダイオード３３に対して保護層を設けることにより、ダイオード３３を水分の影響から保護してもよい。この場合、送受信装置２は、無線通信デバイスから受信した信号の周波数に基づいて水分の有無を検知する。
【００６９】
保護層は、少なくともダイオード３７の半導体層を覆っていればよく、ダイオード３７全体を覆っていてもよい。また、保護層は、リングオシレータ３８を除く送受信装置２全体を覆っていてもよい。
【００７０】
保護層に用いられる材料は特に限定されないが、例えば以下のような材料を挙げることができる。
・酸化シリコンやアルミナ等の無機材料
・ポリイミドやその誘導体、ポリビニルアルコール、ポリビニルクロライド、ポリエチレンテレフタレート、ポリフッ化ビニリデン、ポリシロキサンやその誘導体、ポリビニルフェノールやその誘導体等などの有機高分子材料
・無機材料粉末と有機高分子材料の混合物、有機低分子材料と有機高分子材料の混合物
これらの中でも、塗布法で作製できる有機高分子材料を用いることが好ましい。
【００７１】
（実施の形態４）
図８は、本発明の実施の形態４に係る水分検知システムが備える無線通信デバイスの構成例を示す図である。同図に示す無線通信デバイス３Ｅは、実施の形態１と同様におむつ４に設けられており、回路部３１Ｅと、アンテナ３２とを備える。回路部３１Ｅは、制御回路３９と、メモリ４０とを有するデジタル回路である。制御回路３９は、ＣＭＯＳ（Complementary  Metal  Oxide  Semiconductor）回路や整流回路などを含む。制御回路３９は、送受信装置２からの信号を受信すると、メモリ４０が記録している情報を読み取って送受信装置２に返信する。回路部３１Ｅを除く水分検知システムの構成は、実施の形態１と同様である。
【００７２】
図９は、メモリ４０の要部の構成を模式的に示す図である。メモリ４０は、１つのメモリ素子５０を備える。メモリ素子５０は、ソース５１、ゲート５２およびドレイン５３を有する薄膜トランジスタ（ＴＦＴ：Thin  Film  Transistor）である。ソース５１は配線Ｗ１を介してビット線ＢＬに接続し、ゲート５２は配線Ｗ２を介してワード線ＷＬに接続し、ドレイン５３は接地されている。
【００７３】
図１０は、メモリ素子５０の積層構造を模式的に示す図である。なお、図１０は各層の位置関係を示すための図であり、各層の厚さには意味がない。メモリ素子５０は、基板５４上にゲート５２、配線Ｗ２およびワード線ＷＬが一括形成されており、その上に絶縁層５５が積層されている。絶縁層５５の上には、半導体層５６が形成されている。半導体層５６は、ソース５１、ドレイン５３、配線Ｗ１およびビット線ＢＬと一括形成されている。このように、メモリ素子５０は、いわゆるボトムゲート型の構成を有している。なお、メモリ素子５０をトップゲート型の構成とすることも可能である。
【００７４】
基板５４は、少なくとも電極系が配置される面が絶縁性を有していれば、いかなる材料でもよい。例えば、シリコンウエハ、ガラス、サファイア、アルミナ焼結体等の無機材料、ポリイミド、ポリビニルアルコール、ポリビニルクロライド、ポリエチレンテレフタレート、ポリフッ化ビニリデン、ポリシロキサン、ポリビニルフェノール（ＰＶＰ）、ポリエステル、ポリカーボネート、ポリスルホン、ポリエーテルスルホン、ポリエチレン、ポリフェニレンスルフィド、ポリパラキシレン等の有機材料などが好適に用いられる。また、例えばシリコンウエハ上にＰＶＰ膜を形成したものやポリエチレンテレフタレート上にポリシロキサン膜を形成したものなど、複数の材料を積層したものであってもよい。
【００７５】
絶縁層５５の材料は、正常に機能する程度の絶縁性を示すものであれば特に制限はなく、例えば、ポリシロキサン、ポリアミド、ポリアミドイミド、ポリイミド、ポリベンズイミダゾール、ポリビニルアルコール、ポリビニルフェノール、ポリアセタール、ポリカーボネート、ポリアリレート、ポリフェニレンスルフィド、ポリエーテルスルホン、ポリエーテルケトン、ポリフタルアミド、ポリエーテルニトリル、ポリメチルメタクリレート、ポリメタクリルアミド、ポリフッ化ビニリデン、ポリテトラフルオロエチレン、ポリスチレン、ポリエステル、芳香族ポリエーテル、ノボラック樹脂、フェノール樹脂、アクリル樹脂、オレフィン樹脂、脂環式オレフィン樹脂、塩化ビニル樹脂、エポキシ樹脂、メラミン樹脂、尿素樹脂等を用いることができる。また、これらのポリマーに他のポリマーを共重合したもの、混合したものを用いることもできる。これらの内、トランジスタのオン電流の向上、リーク電流の低減の観点から、ポリシロキサンが好ましく用いられる。
【００７６】
絶縁層５５は、単層または複数層からなる。複数層の場合には、絶縁層５５を複数積層してもよいし、絶縁層５５と公知のゲート絶縁層を積層してもよい。また、絶縁層５５と半導体層５６の間に配向性層を設けることもできる。配向性層には、シラン化合物、チタン化合物、有機酸、ヘテロ有機酸など、公知の材料を用いることができ、特に有機シラン化合物が好ましい。
【００７７】
半導体層５６は、カーボンナノチューブ、グラフェン、フラーレンおよび有機半導体からなる群の一つ以上の材料を用いて構成される。
【００７８】
半導体層５６を構成する有機半導体としては、例えば、ポリチオフェン類、ポリピロール類、ポリ（ｐ−フェニレンビニレン）などのポリ（ｐ−フェニレンビニレン）類、ポリアニリン類、ポリアセチレン類、ポリジアセチレン類、ポリカルバゾール類、ポリフラン類、ポリヘテロアリール類、縮合多環系の低分子化合物半導体、複素芳香環を有する低分子化合物半導体が挙げられる。ポリチオフェン類としては、ポリ−３−ヘキシルチオフェン、ポリベンゾチオフェンなどが挙げられる。ポリフラン類としては、ポリフラン、ポリベンゾフランなどが挙げられる。ポリヘテロアリール類としては、ピリジン、キノリン、フェナントロリン、オキサゾール、オキサジアゾールなどの含窒素芳香環を構成単位とするものが挙げられる。縮合多環系の低分子化合物半導体としては、アントラセン、ピレン、ナフタセン、ペンタセン、ヘキサセン、ルブレンなどが挙げられる。複素芳香環を有する低分子化合物半導体としては、フラン、チオフェン、ベンゾチオフェン、ジベンゾフラン、ピリジン、キノリン、フェナントロリン、オキサゾール、オキサジアゾールなどが挙げられる。これらの材料は、塗布法によりフィルム上への形成が可能であるため、通常用いられるシリコン等の材料と比較して製造が容易であるとともに、コストを低く抑えることができて経済的である。
【００７９】
また、半導体層５６は、２００℃以下の低温で形成できることおよび半導体特性が高いことなどの観点から、カーボンナノチューブを含むことがより好ましい。カーボンナノチューブの中でも、その表面の少なくとも一部に共役系重合体が付着したカーボンナノチューブ複合体が特に好ましい。カーボンナノチューブ複合体は、カーボンナノチューブが保有する高い電気特性を損なうことなく、カーボンナノチューブを溶液中で均一に分散することが可能であるからである。カーボンナノチューブが均一に分散した溶液を用いることで、インクジェット法等の塗布法により、カーボンナノチューブが均一に分散した膜を形成することができる。
【００８０】
以上の構成を有する無線通信デバイス３Ｅにおいて、メモリ４０が水分と接触して濡れた状態になって、メモリ４０が有するメモリ素子５０の半導体層の特性が変化する。その結果、回路部３１Ｅの回路特性、具体的には電気抵抗が変化し、制御回路３９がメモリ４０から読み取る情報（信号値）が変化する。例えば、メモリ４０が水分に触れていない通常状態における１ビットの情報として「１」を記録している場合において、半導体層５６が水分に触れたとき、制御回路３９がメモリ４０から読み取って送受信装置２へ送信する１ビットの情報は「０」に変化する。送受信装置２は、無線通信デバイス３Ｅから受信する信号に含まれる１ビットの情報が通常状態と異なる場合、無線通信デバイス３Ｅに水分が付着したことを検知する。
【００８１】
以上説明した本発明の実施の形態４によれば、実施の形態１と同様、簡易な構成によって水分の発生を的確に検知することができる。また、本実施の形態４によれば、実施の形態１と同様、製造も容易で経済的である。
【００８２】
また、本実施の形態４によれば、送受信装置２が受信するメモリ４０に記録している情報の変化に基づいて水分を検知するため、距離の変化に敏感なパラメータである強度の変化を検出する実施の形態１と比較して、適切な通信を行うための送受信装置２と無線通信デバイス３Ｅとの位置関係の自由度が高い。
【００８３】
（実施の形態４の変形例）
図１１は、実施の形態４の変形例に係る無線通信デバイスが備えるメモリの要部の構成を示す図である。同図に示すメモリ４０Ａは、２つのメモリ素子５０ａ、５０ｂをアレイ状に配置してなる。メモリ素子５０ａのソース５１ａは配線Ｗ１１を介してビット線ＢＬ１に接続し、メモリ素子５０ｂのソース５１ｂは配線Ｗ１２を介してビット線ＢＬ２に接続し、メモリ素子５０ａのゲート５２ａおよびメモリ素子５０ｂのゲート５２ｂは、配線Ｗ２１およびＷ２２をそれぞれ介して共通のワード線ＷＬに接続している。メモリ素子５０ａのドレイン５３ａおよびメモリ素子５０ｂのドレイン５３ｂはそれぞれ接地されている。
【００８４】
メモリ素子５０ａの基板５４ａ、絶縁層５５ａおよび半導体層５６ａは、メモリ素子５０ｂの基板５４ｂ、絶縁層５５ｂおよび半導体層５６ｂとそれぞれ共通の層をなしてもよいし、個別に層をなしてもよい。２つのメモリ素子５０ａおよび５０ｂを１つの構造体として一体形成すれば、製造も容易で小型化にも寄与し得るのでより好ましい。
【００８５】
本変形例において、制御回路３９は、メモリ４０Ａから２ビットの情報を読み取って送受信装置２に送信する。例えば、通常時の２ビットの情報が「１１」である場合、制御回路３９が他の２ビットの情報「１０」、「０１」、または「００」をメモリ４０Ａから読み取って送受信装置２に送信したとき、送受信装置２は、本変形例に係る無線通信デバイスが水分に触れたことを検知する。
【００８６】
以上説明した実施の形態４の変形例によれば、実施の形態４と同様の効果を得ることができる。なお、メモリを構成するメモリ素子の数は３以上であってもよい。この場合にも、ワード線を共通にして複数のメモリ素子をアレイ状に配置すればよい。
【００８７】
（実施の形態５）
図１２は、本発明の実施の形態５に係る無線通信デバイスが備えるメモリの要部の構成を模式的に示す図である。本実施の形態５に係る水分検知システムが備える無線通信デバイスの構成例は、図８に示す実施の形態４に係る水分検知システムが備える無線通信デバイスと同様の構成例をとることができる。同図に示すメモリ４０Ｂは、ボトムゲート型のメモリ素子５０Ｂを備える。メモリ素子５０Ｂは、ソース５１、ゲート５２、ドレイン５３、基板５４、絶縁層５５、半導体層５６および第２絶縁層５７を有する。ソース５１は、配線Ｗ３を介してビット線ＢＬに接続される。ゲート５２は、配線Ｗ４を介してワード線ＷＬに接続される。メモリ素子５０Ｂは、基板５４上にゲート５２、配線Ｗ４およびワード線ＷＬが一括形成されており、その上に絶縁層５５が積層されている。絶縁層５５の上には半導体層５６が形成されている。半導体層５６は、ソース５１、ドレイン５３、配線Ｗ３およびビット線ＢＬと一括形成されている。第２絶縁層５７は、半導体層５６に対して絶縁層５５と反対側に形成される。半導体層５６に対して絶縁層５５と反対側とは、図１２に示すように半導体層５６の下側に絶縁層５５を有する場合は、半導体層５６の上側を指す。なお、メモリ素子５０Ｂをトップゲート型の構成とすることも可能である。
【００８８】
半導体層５６を構成する半導体材料としては、実施の形態４と同様と同様に、ペンタセンやポリチオフェン誘導体等の有機半導体、カーボンナノチューブやグラフェン、フラーレン等のカーボン半導体を挙げることができる。
【００８９】
第２絶縁層５７に用いられる材料は特に限定されないが、例えば以下のような材料を挙げることができる。
・酸化シリコンやアルミナ等の無機材料
・ポリイミドやその誘導体、ポリビニルアルコール、ポリビニルクロライド、ポリエチレンテレフタレート、ポリフッ化ビニリデン、ポリシロキサンやその誘導体、ポリビニルフェノールやその誘導体等などの有機高分子材料
・無機材料粉末と有機高分子材料の混合物、有機低分子材料と有機高分子材料の混合物
これらの中でも、塗布法で作製できる有機高分子材料を用いることが好ましい。
【００９０】
メモリ素子５０Ｂは第２絶縁層５７を有するため、外部からの半導体材料への水分の接触を防ぎ、水分との接触に起因した特性の変化を生じさせない。なお、第２絶縁層５７を形成する代わりに、シリコン等のように元来水分との接触に起因して特性が変化しない材料を用いて半導体層を構成してもよい。
【００９１】
配線Ｗ３、Ｗ４は、水溶性導電性高分子を含む。配線Ｗ３、Ｗ４が含む水溶性導電性高分子は、自己ドーピング型よりは外部ドーピング型のものの方が好ましい。具体的には、水溶性導電性高分子として、無置換または置換基を有するポリパラフェニレン、ポリフェニレンビニレン、ポリアセチレン、ポリチオフェン、ポリピロール、ポリアニリン、ポリイソチアナフテン、ポリフラン、ポリカルバゾール、ポリジアミノアントラキノン、ポリインドールからなる群より選ばれた少なくとも１種のπ共役系高分子中の骨格に、スルホン酸基および／またはカルボキシ基、またはこれらのアルカリ金属塩、アンモニウム塩もしくは置換アンモニウム塩、またはスルホン酸基および／またはカルボキシル基、またはこれらのアルカリ金属塩、アンモニウム塩もしくは置換アンモニウム塩で置換されたアルキル基もしくはエーテル結合を含むアルキル基を有しているものを挙げることができる。また、水溶性導電性高分子として、π共役系高分子中の窒素原子上に、スルホン酸基および／またはカルボキシ基、またはこれらのアルカリ金属塩、アンモニウム塩もしくは置換アンモニウム塩、またはスルホン酸基および／またはカルボキシル基、またはこれらのアルカリ金属塩、アンモニウム塩もしくは置換アンモニウム塩で置換されたアルキル基もしくはエーテル結合を含むアルキル基を有しているものを挙げることができる。
【００９２】
図１２に示すボトムゲート型のメモリ素子５０Ｂの場合には、配線Ｗ４よりも水分と接触しやすい配線Ｗ３が、少なくとも上述した材料を用いて構成されていることが好ましい。この場合、配線Ｗ４は導電性材料を用いて構成してもよい。なお、トップゲート型のメモリ素子の場合には、ゲート５２と接続する配線Ｗ４がソース５１と接続する配線Ｗ３よりも水分と接触しやすいため、少なくとも配線Ｗ４が上述した材料を用いて構成されていることが好ましく、配線Ｗ３は導電性材料を用いて構成してもよい。
【００９３】
本実施の形態５に係る無線通信デバイスにおいて、メモリ４０Ｂが水分と接触して濡れた状態になって、配線Ｗ３および／またはＷ４が水分に触れると、水溶性導電性高分子が溶解して断線を生じて高抵抗化する。その結果、実施の形態４と同様に、制御回路３９がメモリ４０Ｂから読み取る情報が変化する。送受信装置２は、本実施の形態５に係る無線通信デバイスから受信する信号に含まれる１ビットの情報が通常状態と異なる場合、本実施の形態５に係る無線通信デバイスに水分が付着したことを検知する。
【００９４】
本実施の形態５は、図１１に示す実施の形態４の変形例と同様に、２つのメモリ素子をアレイ状に配置することで、実施の形態４の変形例と同様の効果を得ることができる。なお、メモリを構成するメモリ素子の数は３以上であってもよい。この場合にも、ワード線を共通にして複数のメモリ素子をアレイ状に配置すればよい。
【００９５】
以上説明した本発明の実施の形態５によれば、回路部３１Ｅが有する配線の少なくとも一部と水分との接触の有無に応じて、異なる情報を含む信号を送受信装置２に送信するため、簡易な構成によって水分の発生を的確に検知することができる。また、本実施の形態５によれば、実施の形態４と同様、製造も容易で経済的である。
【００９６】
（実施の形態６）
本発明の実施の形態６に係る水分検知システムが備える無線通信デバイスの構成は、実施の形態５と同様である。本実施の形態６において実施の形態５と異なる点は、メモリ４０Ｂの配線Ｗ３、Ｗ４が、導電性粒子および水溶性樹脂を含む点である。
【００９７】
導電性粒子としては、例えば、金（Ａｕ）、銀（Ａｇ）、銅（Ｃｕ）、ニッケル（Ｎｉ）、錫（Ｓｎ）、ビスマス（Ｂｉ）、鉛（Ｐｂ）、亜鉛（Ｚｎ）、パラジウム（Ｐｄ）、白金（Ｐｔ）、アルミニウム（Ａｌ）、タングステン（Ｗ）、モリブデン（Ｍｏ）または炭素（Ｃ）等を挙げることができる。中でも金、銀、銅、ニッケル、錫、ビスマス、鉛、亜鉛、パラジウム、白金、アルミニウムおよび炭素からなる群から選ばれる少なくとも１つの元素を含有する導電性粒子であることが好ましい。
【００９８】
水溶性樹脂としては、例えば、ポリエチレングリコール、ポリビニルピロリドン、ポリビニルアルコール、ポリアクリルアミド、ポリアクリル酸ナトリウム、ポリアクリル酸、ポリアクリル酸メチル、ポリアクリル酸エチル、ポリ−２−アクリルアミド−２−メチルプロパンスルホン酸、ポリスチレンスルホン酸ナトリウム、ポリスチレンスルホン酸、ポリビニルスルホン酸、ポリアリルアミン、ポリエチレンイミンなどのホモポリマーおよびそれらの成分を含むコポリマーなどを挙げることができる。また、メチルセルロース、カルボキシメチルセルロース、ヒドロキシエチルセルロース、カゼイン等も挙げることができる。また、カルボキシル基もしくはスルホン基等の親水基を導入した水溶性ポリエステルまたは水溶性ポリウレタン等も挙げることができる。
【００９９】
以上の構成を有する配線Ｗ３およびＷ４は、水分に触れると水溶性樹脂が溶解してその組成が変化して電気抵抗が高抵抗化する。これにより、実施の形態４と同様に、制御回路３９がメモリ４０Ｂから読み取る１ビットの情報が変化する。送受信装置２は、本実施の形態６に係る無線通信デバイスから受信する信号に含まれる１ビットの情報が通常状態と異なる場合、本実施の形態６に係る無線通信デバイスに水分が付着したことを検知する。
【０１００】
以上説明した本発明の実施の形態６によれば、実施の形態４と同様、簡易な構成によって水分の発生を的確に検知することができる。また、本実施の形態６によれば、実施の形態４と同様、製造も容易で経済的である。
【０１０１】
（実施の形態７）
本発明の実施の形態７に係る水分検知システムが備える無線通信デバイスの構成は、実施の形態５と同様である。本実施の形態７において実施の形態５と異なる点は、メモリ４０Ｂの配線Ｗ３、Ｗ４が、導電性粒子および吸水性樹脂を含む点である。このうち、導電性粒子は、実施の形態６と同様の材料を用いて構成される。
【０１０２】
吸水性樹脂としては、例えば、デンプンまたはセルロースと、カルボキシル基もしくはスルホン基等の親水基を含有する水溶性単量体および／または加水分解により水溶性となる単量体と、架橋剤とを必須成分として重合させ、必要により加水分解を行うことにより得られる吸水性樹脂、デンプン−アクリロニトリルグラフト重合体の加水分解物、デンプン−アクリル酸グラフト重合体の加水分解物、セルロース−アクリロニトリルグラフト重合物の加水分解物、カルボキシメチルセルロースの架橋物、架橋ポリアクリルアミドの部分加水分解物、架橋されたアクリル酸−アクリルアミド共重合体、架橋されたスルホン化ポリスチレン、ビニルエステル−不飽和カルボン酸共重合体ケン化物、ポリアクリル酸ナトリウム等の架橋されたポリアクリル酸（塩）、架橋されたアクリル酸−アクリル酸エステル共重合体、イソブチレン−無水マレイン酸共重合物、ナトリウム塩架橋物無水マレイン酸等の架橋されたイソブチレン−無水マレイン酸共重合体、架橋されたカルボン酸変性ポリビニルアルコール、自己架橋型ポリアクリル酸塩、架橋された酢酸ビニル−アクリル酸エステル共重合体物、ノニオン型ポリアルキレンオキサイド等を挙げることができる。吸水性樹脂としては、上記以外にも従来公知の吸水性樹脂を使用することができ、特に限定されるものではない。
【０１０３】
以上の構成を有する配線Ｗ３およびＷ４は、水分に触れると吸水性樹脂が吸水して配線Ｗ３およびＷ４が膨潤し、導電性粒子が離間することによって実質的な断線を生じ、高抵抗化する。その結果、実施の形態１と同様に、制御回路３９がメモリ４０から読み取る情報が変化する。送受信装置２は、無線通信デバイス３から受信する信号に含まれる１ビットの情報が通常状態と異なる場合、無線通信デバイス３に水分が付着したことを検知する。
【０１０４】
以上説明した本発明の実施の形態７によれば、実施の形態５と同様、簡易な構成によって水分の発生を的確に検知することができる。また、本実施の形態７によれば、実施の形態５と同様、製造も容易で経済的である。
【０１０５】
（実施の形態８）
本発明の実施の形態８に係る無線通信システムは、実施の形態５に係る無線通信システムと同様の構成を有する。本実施の形態８において実施の形態５と異なる点は、メモリ素子５０Ｂの絶縁層５５が、さらに、感光性有機成分としてラジカル重合性化合物の付加反応体を含む点と、配線Ｗ３、Ｗ４が導電性材料を用いて構成される点である。
【０１０６】
ラジカル重合性化合物とは、分子中に複数のエチレン性不飽和二重結合基を有する化合物のことである。紫外（ＵＶ：Ultraviolet）光の照射により、後述する光重合開始剤から発生するラジカルによって、ラジカル重合性化合物のラジカル重合が進行し、絶縁層５５の架橋密度が向上し、絶縁層５５の硬度を向上させることができる。
【０１０７】
ラジカル重合性化合物としては、ラジカル重合の進行しやすい、（メタ）アクリル基を有する化合物が好ましい。ＵＶ光の照射時の感度向上および絶縁層５５の硬度向上の観点から、（メタ）アクリル基を分子内に２つ以上有する化合物がより好ましい。
【０１０８】
ラジカル重合性化合物としては、ＵＶ光の照射時の感度向上および硬化膜の耐クラック性向上の観点から、トリメチロールプロパントリ（メタ）アクリレート、ジトリメチロールプロパンテトラ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、１，３，５−トリス（（メタ）アクリロキシエチル）イソシアヌル酸もしくは９，９−ビス［４−（２−（メタ）アクリロキシエトキシ）フェニル］フルオレンまたはそれらの酸変性体が好ましい。また、ラジカル重合性化合物としては、ＵＶ光の照射時の感度向上および硬化膜の耐クラック性向上の観点から、エチレンオキシド変性体またはプロピレンオキシド変性体も好ましい。
【０１０９】
絶縁層５５は、さらに感光性有機成分として、ＵＶ光の照射によって結合開裂および／または反応してラジカルを発生する化合物（以下、「光重合開始剤」という）を含んでもよい。光重合開始剤を含むことで、前述したラジカル重合性化合物のラジカル重合が進行し、ＵＶ光の照射時の付加反応を促進することができる。光重合開始剤としては、例えば、ベンジルケタール系光重合開始剤、α−ヒドロキシケトン系光重合開始剤、α−アミノケトン系光重合開始剤、アシルホスフィンオキシド系光重合開始剤、オキシムエステル系光重合開始剤、アクリジン系光重合開始剤、チタノセン系光重合開始剤、ベンゾフェノン系光重合開始剤、アセトフェノン系光重合開始剤、芳香族ケトエステル系光重合開始剤または安息香酸エステル系光重合開始剤が好ましく、ＵＶ光の照射時の感度向上の観点から、α−ヒドロキシケトン系光重合開始剤、α−アミノケトン系光重合開始剤、アシルホスフィンオキシド系光重合開始剤、オキシムエステル系光重合開始剤、アクリジン系光重合開始剤またはベンゾフェノン系光重合開始剤がより好ましく、α−アミノケトン系光重合開始剤、アシルホスフィンオキシド系光重合開始剤、オキシムエステル系光重合開始剤がさらに好ましい。光重合開始剤の具体的な例としては、オキシムエステル系光重合開始剤として、１−［４−（フェニルチオ）フェニル］オクタン−１，２−ジオン−２−（Ｏ−ベンゾイル）オキシムおよび１−［９−エチル−６−（２−メチルベンゾイル）−９Ｈ−カルバゾール−３−イル］エタノン−１−（Ｏ−アセチル）オキシムを挙げることができるが、他の公知の材料も利用することができる。
【０１１０】
絶縁層５５は、さらに感光性有機成分として、光により酸を発生する化合物（以下、「光酸発生剤」という）を含有してもよい。光酸発生剤としては、オニウム塩化合物、ハロゲン含有化合物、ジアゾケトン化合物、ジアゾメタン化合物、スルホン化合物、スルホン酸エステル化合物、スルホンイミド化合物などを例示することができる。ジアゾケトン化合物の具体的な例としては、１，３−ジケト−２−ジアゾ化合物、ジアゾベンゾキノン化合物、ジアゾナフトキノン化合物などを挙げることができ、パターン加工精度や絶縁層５５の耐クラック性の観点から、ジアゾナフトキノン化合物が好ましい。好ましいジアゾケトン化合物として、１，２−ナフトキノンジアジド−４−スルホン酸と２，２，３，４，４’−ペンタヒドロキシベンゾフェノンとのエステル、１，２−ナフトキノンジアジド−４−スルホン酸と１，１，１−トリス（４−ヒドロキシフェニル）エタンとのエステル等を挙げることができる。
【０１１１】
光重合開始剤および光酸発生剤は、感光性有機成分である増感剤と組み合わせて用いられることが好ましい。増感剤は、光退色反応で着色を生じないため、絶縁層５５中でも、高い透明性を維持しつつ、高感度化を達成することができる。増感剤としては特に制限はなく公知の材料を用いることができるが、９，１０−二置換アントラセン系化合物が特に好ましい。
【０１１２】
絶縁層５５は、感光性有機成分として、連鎖移動剤の付加反応体をさらに含んでもよい。連鎖移動剤とは、ＵＶ光の照射時のラジカル重合により得られるポリマー鎖の、ポリマー生長末端からラジカルを受け取り、他のポリマー鎖へのラジカル移動を介することが可能な化合物をいう。連鎖移動剤を含むことにより、ＵＶ光の照射時の感度を向上させることができる。これは、ＵＶ光の照射によって発生したラジカルが、連鎖移動剤によって他のポリマー鎖へラジカル移動することで、膜の深部にまでラジカル架橋をするためであると推測される。連鎖移動剤としては、チオール系連鎖移動剤が好ましい。
【０１１３】
絶縁層５５は、感光性有機成分として、重合禁止剤をさらに含んでもよい。重合禁止剤とは、ＵＶ光の照射時に発生したラジカル、またはＵＶ光照射時のラジカル重合により得られるポリマー鎖の、ポリマー生長末端のラジカルを捕捉し、安定ラジカルとして保持することにより、ラジカル重合を停止することが可能な化合物をいう。重合禁止剤を適量含有させることで、ＵＶ光照射時に発生する過剰量のラジカルを抑制し、ラジカル重合を制御することができる。重合禁止剤としては、フェノール系重合禁止剤が好ましい。
【０１１４】
絶縁層５５は、無機粒子が結合したポリマーに加えて、さらに、ポリマーが結合していない無機粒子を含有してもよい。ポリマーが結合していない無機粒子の好ましい材質や形状としては、上述のような、ポリマーが結合された場合のものと同様である。
【０１１５】
絶縁層５５は、必要に応じて、粘度調整剤、界面活性剤、安定化剤などを含有してもよい。また、絶縁層５５は、残留溶媒を含有していても構わない。界面活性剤としては、例えば、フッ素系界面活性剤、シリコーン系界面活性剤、ポリアルキレンオキシド系界面活性剤、アクリル系界面活性剤等を挙げることができる。フッ素系界面活性剤の具体的な例としては、メガファックＦ１４２Ｄ、同Ｆ１７２、同Ｆ１７３、同Ｆ１８３（以上、大日本インキ化学工業（株）製）、ＮＢＸ−１５、ＦＴＸ−２１８、ＤＦＸ−１８（（株）ネオス製）等を挙げることができる。また、シリコーン系界面活性剤としては、ＢＹＫ−３３３（ビックケミー・ジャパン（株）製）等を挙げることができる。
【０１１６】
本実施の形態８においては、感光性有機物を含む絶縁層５５を有する薄膜トランジスタを用いてメモリ素子５０Ｂを構成しているため、フォトリソグラフィーにより、選択的にビアを形成することができる。これにより、例えば、配線Ｗ３、Ｗ４が接触する絶縁層５５の領域に対して選択的にビアを形成し、このビアに対して、インクジェット法やディスペンサー法などの塗布法により水溶性樹脂からなる膜（水溶性樹脂膜）を塗布形成すれば、水溶性樹脂膜が水分と接触した際に溶解し、それに伴い、水溶性樹脂膜と接している配線が断線して高抵抗化する。なお、絶縁層５５に対して、水溶性樹脂膜の代わりに吸水性樹脂からなる膜（吸水性樹脂膜）を同様に塗布形成してもよい。この場合には、吸水性樹脂膜が水分に接触すると吸水性樹脂膜が膨潤し、吸水性樹脂膜と接している配線が断線する。
【０１１７】
以上説明した本発明の実施の形態８によれば、実施の形態５と同様、簡易な構成によって水分の発生を的確に検知することができる。また、本実施の形態８によれば、実施の形態５と同様、製造も容易で経済的である。
【０１１８】
（その他の実施の形態）
ここまで、本発明を実施するための形態を説明してきたが、本発明は上述した実施の形態によってのみ限定されるべきものではない。例えば、おむつに複数の無線通信デバイスを設置してもよい。具体的には、男性と女性では排尿時に濡れやすい場所が異なるため、尿の放出が想定されるすべての場所に無線通信デバイスを設置してもよい。これにより、おむつを使用する人の性別によらず、的確な水分検知を行うことができ、汎用性の高いおむつを提供することが可能となる。
【０１１９】
また、回路部が、１つの制御回路と、互いに異なる位置に配置された複数のメモリとを備えてもよい。この場合には、アンテナも１つでよい。この場合にも、複数の無線通信デバイスを設置する場合と同様の効果を、より簡易な構成によって得ることができる。
【０１２０】
また、電池を内蔵したアクティブ型の無線通信デバイスに、カーボンナノチューブ、グラフェン、フラーレンおよび有機半導体からなる群の一つ以上の材料を用いて構成された素子を適用してもよい。
【０１２１】
また、無線通信デバイスが水分と接触した場合には、無線通信デバイスが送受信装置に対して信号を返信しないような回路構成としてもよい。
【０１２２】
また、送受信装置と無線通信デバイスとの間の通信を周波数が１３．５６ＭＨｚのＮＦＣ（Near  Field  Communication）通信によって実現してもよい。この場合には、例えば無線通信デバイスをベッドのシーツ等に設置して水分を検知することも可能である。
【０１２３】
また、水分検知システムとして、自動車の製造時における室内の防水チェック、トンネル製造時における水濡れ検知、排水管の水漏れ検知等を目的とするシステムに適用することも可能である。
【０１２４】
このように、本発明は、ここでは記載していない様々な実施の形態等を含み得るものである。
【符号の説明】
【０１２５】
１  水分検知システム
２  送受信装置
３、３Ａ、３Ｂ、３Ｃ、３Ｄ、３Ｅ  無線通信デバイス
４  おむつ
３１、３１Ａ、３１Ｂ、３１Ｃ、３１Ｄ、３１Ｅ  回路部
３２  アンテナ
３３、３７  ダイオード
３４、３６  可変容量ダイオード
３５  電圧制御発振器
３８  リングオシレータ
３９  制御回路
４０、４０Ａ  メモリ
４１  表面材
４２  吸水材
４３  防水材
５０、５０ａ、５０ｂ、５０Ｂ  メモリ素子  
５１、５１ａ、５１ｂ  ソース
５２、５２ａ、５２ｂ  ゲート
５３、５３ａ、５３ｂ  ドレイン
５４、５４ａ、５４ｂ  基板
５５、５５ａ、５５ｂ  絶縁層
５６、５６ａ、５６ｂ  半導体層
５７  第２絶縁層
ＢＬ、ＢＬ１、ＢＬ２  ビット線
Ｗ１、Ｗ２、Ｗ３、Ｗ４、Ｗ１１、Ｗ１２、Ｗ２１、Ｗ２２  配線
ＷＬ  ワード線
【図１】
2019049758.tif 000003
【図２】
2019049758.tif 000004
【図３】
2019049758.tif 000005
【図４】
2019049758.tif 000006
【図５】
2019049758.tif 000007
【図６】
2019049758.tif 000008
【図７】
2019049758.tif 000009
【図８】
2019049758.tif 000010
【図９】
2019049758.tif 000011
【図１０】
2019049758.tif 000012
【図１１】
2019049758.tif 000013
【図１２】
2019049758.tif 000014
【国際調査報告】
2019049758.tif 000015
2019049758.tif 000016
2019049758.tif 000017
2019049758.tif 000018